(57)【要約】      （修正有）【課題】胴部の底面の閉塞作業が極めて容易であり、しかも胴部の底面を比較的平坦に形成して被包装物を安定して包装することができる包装箱を提供する。【解決手段】第２底フラップ部１１，１１を第２側板６，６の外側方向に折り返して第２側板６，６の外面に重合させることにより、第２底フラップ部１１，１１の内面同士が傾斜折曲可能線を介して互いに重合し、第１底フラップ部１０，１０が胴部２の内側方向に折り曲げられて、第１底フラップ部１０，１０の先端部同士がその中央部から互い違いに重合して胴部２の底面が閉塞され、第２側板６，６の外面に重合させた第２底フラップ部１１，１１の掛止片を、第２側板６，６に形成した差込孔１４に差し込むことにより、両第１底フラップ部１０，１０による胴部２の底面の閉塞状態を維持する。【選択図】図１
2016078880.tif 000002
【特許請求の範囲】
【請求項１】
互いに対向する一対の第１側板と、両第１側板の対向方向に直交する方向に互いに対向する一対の第２側板とで形成された四角筒状の胴部を備え、
前記第１側板の下縁に第１下部折曲可能線を介して連設された一対の第１底フラップ部と、前記第２側板の下縁に第２下部折曲可能線を介して連設された一対の第２底フラップ部とを備えて、前記第１底フラップ部と前記第２底フラップ部との互いに隣接する側縁同士が一体に連結されており、
前記第２底フラップ部は、前記第２側板との境界における両隅角部を始端として前記第２下部折曲可能線に対して４５°の角度をもって互いに交わる方向に延びる一対の傾斜折曲可能線と、両傾斜折曲可能線の間の位置を基端として該第２底フラップ部の先端縁に突設された掛止片とを備え、
両第２底フラップ部を、前記第２下部折曲可能線に沿って前記第２側板の外側方向に折り返して前記第２側板の外面に重合させることにより、各第２底フラップ部が前記傾斜折曲可能線に沿って折り曲げられて該第２底フラップ部の内面同士が傾斜折曲可能線を介して互いに重合し、両第１底フラップ部が前記第１下部折曲可能線に沿って前記胴部の内側方向に折り曲げられて、両第１底フラップ部の先端部同士がその中央部から互い違いに重合して胴部の底面が閉塞され、
前記第２側板の外面に重合させた前記第２底フラップ部の前記掛止片を、前記第２側板に形成した差込孔に差し込むことにより、両第１底フラップ部による胴部の底面の閉塞状態を維持することを特徴とする包装箱。
【請求項２】
請求項１記載の包装箱において、
前記第２下部折曲可能線は、前記第２側板の下縁の全長に亘る切れ目により形成されていることを特徴とする包装箱。
【請求項３】
請求項１又は２記載の包装箱であって、
前記第２側板の上縁に上部折曲可能線を介して連設された一対の天フラップを備え、前記胴部の上面を閉塞するときに、両天フラップが前記胴部の内方側に折り曲げられるものにおいて、
前記第２底フラップ部の前記掛止片を差し込む前記差込孔は、前記第２側板の上縁の前記上部折曲可能線に沿って形成され、
前記差込孔に差し込んだ前記掛止片は、前記天フラップを前記胴部の内方側に折り曲げたときに該天フラップの内面に重合することを特徴とする包装箱。
【発明の詳細な説明】
【技術分野】
【０００１】
本発明は、内部に物品を包装する包装箱に関する。
【背景技術】
【０００２】
この種の包装箱として、互いに対向する一対の第１側板と、両第１側板の対向方向に直交する方向に互いに対向する一対の第２側板とで四角筒状の胴部が形成され、前記第１側板の上縁から上方に延びる第１フラップ部と前記第２側板の上縁から上方に延びる第２フラップ部との互いに隣接する側縁同士が一体に連結され、前記第２フラップ部は、前記第２側板との境界に沿った下縁の両隅角部を始端として当該下縁に対して４５°の角度をもって互いに交わる方向に延びる一対の傾斜折込線を備えるものが知られている（例えば、特許文献１参照）。
【０００３】
この構成による包装箱は、前記第２フラップ部を、前記第２側板との境界に形成した折り目線に沿って前記胴部上に折り倒すことにより、該第２フラップ部が、前記第１フラップ部との境界に形成した折り目線と前記傾斜折込線とに沿って前記第１フラップ部の内面側に重合するように折り込まれると共に、前記第１フラップ部が、前記第１側板との境界に形成した折り目線に沿って前記胴部上に折り倒され、両第１フラップ部の上縁同士が当接して前記胴部の上面が閉塞される。
【０００４】
このように、第２フラップ部を折り倒すといった一挙動で胴部を閉塞することができるので、迅速な包装作業が可能となっている。
【先行技術文献】
【特許文献】
【０００５】
【特許文献１】実用新案登録第３１３９５６７号公報
【発明の概要】
【発明が解決しようとする課題】
【０００６】
しかし、上記従来の構成によると、胴部の閉塞状態を維持するために両第１フラップ部の先端の突き当て部に沿って粘着テープを貼着して封緘する作業が必要となる不都合がある。
【０００７】
また、胴部の底面を閉塞するために上記従来の構成を採用すると、底面を閉塞する第１フラップ部の内面側に、傾斜折込線を介して二重になった第２フラップ部が部分的に重なるため、底面に比較的大きな段差が生じて物品を安定して包装することができない不都合がある。
【０００８】
上記の点に鑑み、本発明は、胴部の底面の閉塞作業が極めて容易であり、しかも胴部の底面を比較的平坦に形成して物品を安定して包装することができる包装箱を提供することを目的とする。
【課題を解決するための手段】
【０００９】
かかる目的を達成するために、本発明の包装箱は、互いに対向する一対の第１側板と、両第１側板の対向方向に直交する方向に互いに対向する一対の第２側板とで形成された四角筒状の胴部を備え、前記第１側板の下縁に第１下部折曲可能線を介して連設された一対の第１底フラップ部と、前記第２側板の下縁に第２下部折曲可能線を介して連設された一対の第２底フラップ部とを備えて、前記第１底フラップ部と前記第２底フラップ部との互いに隣接する側縁同士が一体に連結されており、前記第２底フラップ部は、前記第２側板との境界における両隅角部を始端として前記第２下部折曲可能線に対して４５°の角度をもって互いに交わる方向に延びる一対の傾斜折曲可能線と、両傾斜折曲可能線の間の位置を基端として該第２底フラップ部の先端縁に突設された掛止片とを備え、両第２底フラップ部を、前記第２下部折曲可能線に沿って前記第２側板の外側方向に折り返して前記第２側板の外面に重合させることにより、各第２底フラップ部が前記傾斜折曲可能線に沿って折り曲げられて該第２底フラップ部の内面同士が傾斜折曲可能線を介して互いに重合し、両第１底フラップ部が前記第１下部折曲可能線に沿って前記胴部の内側方向に折り曲げられて、両第１底フラップ部の先端部同士がその中央部から互い違いに重合して胴部の底面が閉塞され、前記第２側板の外面に重合させた前記第２底フラップ部の前記掛止片を、前記第２側板に形成した差込孔に差し込むことにより、両第１底フラップ部による胴部の底面の閉塞状態を維持することを特徴とする。
【００１０】
本発明の包装箱において胴部の底面を閉塞する場合には、先ず、両第２底フラップ部を胴部の外側に引っ張る。これにより、第２底フラップ部と第１底フラップ部との境界の角部が延びて、両第２底フラップ部が第２下部折曲可能線に沿って胴部の外側に折れ曲がると共に、第２底フラップ部が傾斜折曲可能線に沿って折り曲げられて傾斜折曲可能線を介してその両側が重合する。両第１底フラップ部は、このときの第２底フラップ部の動きに追従して胴部の底面側に折れ曲がる。
【００１１】
続いて、両第２底フラップ部を第２側板の外側方向に折り返して第２側板の外面に重合させる。これにより、両第１底フラップ部の先端部同士がその中央部から互い違いに重合し、胴部の底面が閉塞される。そして、掛止片を第２側板に形成されている差込孔に差し込む。これにより、両第１底フラップ部が胴部の底面を閉塞した状態が維持される。
【００１２】
このように、両第２底フラップ部を第２側板の外側方向に折り返して掛止片を差込孔に差し込むだけで、容易に胴部の底面を閉塞してその閉塞状態が維持されるので、胴部の底面の閉塞作業が極めて容易であり、封緘用の粘着テープや接着剤等を用いることなく胴部底面の閉塞状態を維持することができる。
【００１３】
そして、胴部の底面を閉塞した両第１底フラップ部はその先端部同士が重合しているので、比較的重量の大きい物品を胴部内に収容して包装箱を持ち上げたとき、第１外フラップが物品の重みにより撓んでも、両第１底フラップ部間に隙間が形成されることを防止することができる。
【００１４】
しかも、第２底フラップ部が胴部の外側に位置し、一対の第１底フラップ部のみで胴部の底面が閉塞されるので、従来のように胴部内部に第２底フラップ部による段差が形成されることはない。このため、胴部の底面に形成される段差は両第１底フラップ部の先端部同士の重合部分だけであり、胴部の底面が比較的平坦に形成されるので、物品を安定して包装することができる。
【００１５】
更に、胴部の底面を閉塞したとき、例えば、一方の第１底フラップ部の先端部を他方の第１底フラップ部の先端部上に重合させた場合には、胴部底面に段差として現れる端縁が一方を向いた状態で重合部分の全長に亘って直線的に形成されるが、本発明のように、両第１底フラップ部の先端部同士がその中央部から互い違いに重合して胴部の底面を閉塞することにより、胴部底面に段差として現れる各第１底フラップ部の端縁が互いに逆方向を向き、段差の位置も直線上に並ぶことはない。よって、胴部に物品を収容したとき、物品に対する段差の影響を分散させることができ、物品を安定して包装することができる。
【００１６】
また、本発明の包装箱において、前記第２下部折曲可能線は、前記第２側板の下縁の全長に亘る切れ目により形成されていることが好ましい。第２下部折曲可能線を切れ目とすることで、両第２底フラップ部を第２側板の外面に重合させる際に、第２下部折曲可能線に沿った両第２底フラップ部の折り曲げ抵抗を小さくすることができる。
【００１７】
しかも、第２下部折曲可能線に沿って折り曲げられたことによって胴部の下端に生じる膨らみや歪みを小さくすることができ、包装箱の外観が向上する。
【００１８】
即ち、胴部の底面が閉塞されたときの胴部の下縁には、第２側板と第２底フラップ部との境界の第２下部折曲可能線に沿った角部と、第１底フラップ部と第２底フラップ部との境界にある角部と重なる。このとき、例えば、包装箱の材料として、段ボール板紙のような比較的厚手の板紙が用いられていると、材料の板紙厚の影響により、第２下部折曲可能線に沿った角部に膨らみが生じ、第１底フラップ部と第２底フラップ部との境界にある角部をその内側から押し出して、胴部の下縁に膨らみや歪みが形成される。
【００１９】
それに対し、第２下部折曲可能線を切れ目とすることにより、第２下部折曲可能線に沿った折り曲げ部分が切れ目の端縁で形成され、板紙を折り曲げたことによる膨らみが殆ど生じない。よって、第２下部折曲可能線に沿って形成された角部の外側に第１底フラップ部と第２底フラップ部との境界にある角部が重なったときに、胴部の下縁に膨らみや歪みが殆ど形成されない。
【００２０】
このように、本発明によれば、包装箱の材料として、段ボール板紙のような比較的厚手の板紙を好適に用いることができる。しかも、第２下部折曲可能線に沿った折り曲げ部分に生じる切れ目の端縁は、第１底フラップ部と第２底フラップ部との境界にある角部により覆い隠されて露出しないので、切れ目の端縁が露出することによる包装箱の外観低下も防止できる。
【００２１】
また、本発明の包装箱であって、前記第２側板の上縁に上部折曲可能線を介して連設された一対の天フラップを備え、前記胴部の上面を閉塞するときに、両天フラップが前記胴部の内方側に折り曲げられるものにおいては、前記第２底フラップ部の前記掛止片を差し込む前記差込孔は、前記第２側板の上縁の前記上部折曲可能線に沿って形成され、前記差込孔に差し込んだ前記掛止片は、前記天フラップを前記胴部の内方側に折り曲げたときに該天フラップの内面に重合することが好ましい。
【００２２】
これによれば、掛止片が胴部における物品の収容するスペースに向って突出することがなく、天フラップにより胴部の上面を閉塞するときには、掛止片が天フラップの内面に重合するので、包装箱による物品の包装時に掛止片が邪魔になることもない。
【図面の簡単な説明】
【００２３】
【図１】本発明の実施形態の包装箱を示す斜視図であって、（ａ）は上面を上に向け底面を下に向けた姿勢の斜視図、（ｂ）は上面を下に向け底面を上に向けた姿勢の斜視図。
【図２】図１の包装箱の展開図。
【図３】本実施形態の包装箱における底面の閉塞作業を示す斜視図であって、（ａ）は底面の閉塞作業直前の状態を示す斜視図、（ｂ）は底面の閉塞作業途中の状態を示す斜視図。
【図４】本実施形態の包装箱において、上面を開放した状態で箱内部を臨む平面図。
【図５】本実施形態の包装箱の一部の断面説明図。
【発明を実施するための形態】
【００２４】
本発明の一実施形態を図面に基づいて説明する。本実施形態の包装箱１は、図１（ａ）及び図１（ｂ）に示すように、四角筒状に形成された胴部２を備えており、胴部２の上面は、上蓋３により閉塞され、胴部２の下面は、下蓋４により閉塞されている。包装箱１の内部には、図示しない物品が収容される。
【００２５】
包装箱１は、図２に展開状態で示すように、大略矩形状に打ち抜かれた段ボール板紙により形成される。展開状態における包装箱１は、第１側板５，５と第２側板６，６とが折曲可能線ａ，ａ，ａを介して交互に連設されている。第１側板５，５は第２側板６，６よりも横長の長方形状に形成されている。
【００２６】
各第１側板５，５の上縁には、折曲可能線ｂ，ｂを介して第１天フラップ７，７が連設されている。各第２側板６，６の上縁には、折曲可能線ｃ，ｃ（本発明における上部折曲可能線に相当する）を介して第２天フラップ８，８（本発明における天フラップに相当する）が連設されている。更に一方の第２側板６（図２において左端に位置する第２側板６）の側縁には折曲可能線ｄを介して接着片９が連設されている。
【００２７】
各第１側板５，５の下縁には、折曲可能線ｅ，ｅ（本発明における第１下部折曲可能線に相当する）を介して第１底フラップ部１０，１０が連設されている。各第２側板６，６の下縁には、折曲可能線ｆ，ｆ（本発明における第２下部折曲可能線に相当する）を介して第２底フラップ部１１，１１が連設されている。各第２側板６，６の下縁と第２底フラップ部１１，１１との境界の折曲可能線ｆ，ｆは、切れ目により形成されている。
【００２８】
第１底フラップ部１０，１０と第２底フラップ部１１，１１とは、その隣接する側縁同士が、夫々折曲可能線ｇ，ｇ，ｇを介して一体に連結されている。更に、前記接着片９が一方の第２底フラップ部１１の側縁に沿って延びて、当該第２底フラップ部１１に一体に連結されている。
【００２９】
第１底フラップ部１０，１０と第２底フラップ部１１，１１とが連結されているため、各第２側板６，６の下縁と第２底フラップ部１１，１１との境界の折曲可能線ｆ，ｆが切れ目により形成されていても、第２底フラップ部１１，１１が分離することはない。
【００３０】
また、各第１底フラップ部１０，１０の先端部には、下方に延出する大延出部１０ａと、大延出部１０ａより延出量が小さい小延出部１０ｂとが形成されている。大延出部１０ａと小延出部１０ｂと間にはＶ字状の切欠き１０ｃが形成されている。詳しくは後述するが、両第１底フラップ部１０，１０によって胴部２を閉塞したとき、一方の第１底フラップ部１０の大延出部１０ａが他方の第１底フラップ部１０の小延出部１０ｂの外面に重合し、他方の第１底フラップ部１０の大延出部１０ａが一方の第１底フラップ部１０の小延出部１０ｂの外面に重合する。
【００３１】
第１側板５，５の上縁及び第２側板６，６の上縁に連結されている第１天フラップ７，７及び第２天フラップ８，８は図１（ａ）示の上蓋３を構成するものである。第１側板５，５の下縁に連結されている第１底フラップ部１０，１０は、図１（ｂ）示の下蓋４を構成するものである。一方、第２側板６，６の下縁に連結されている第２底フラップ部１１，１１は、詳しくは後述するが、第１底フラップ部１０，１０による胴部２の閉塞作業を容易とし且つ閉塞状態を維持するために設けられている。
【００３２】
図２に示すように、第２底フラップ部１１，１１の先端（下端）の中央部には、掛止片１２が突設されている。更に、第２底フラップ部１１，１１には、その先端側で互いに交わる方向に傾斜して延びる一対の傾斜折曲可能線ｈ，ｈが形成されている。
【００３３】
掛止片１２は、第２底フラップ部１１，１１の先端縁から下方に延びる一対の切込み１３によってその間に遊離自在に形成されている。
【００３４】
第２底フラップ部１１，１１に形成されている傾斜折曲可能線ｈ，ｈは、第１側板５，５の上縁の折曲可能線ｆ，ｆ（切れ目）に対して４５°の角度で傾斜し、一端が第２底フラップ部１１，１１の下縁の両隅角部（第１側板５，５の上縁の両端）に位置し、他端が掛止片１２の基端に位置する切込み１３の下端に接続されている。
【００３５】
また、第１側板５，５の上縁の折曲可能線ｃ，ｃの中央部には、当該折曲可能線ｃ，ｃに沿ってスリット状の差込孔１４が形成さている。この差込孔１４は、第２底フラップ部１１，１１の先端に設けた掛止片１２を差し込むものである。
【００３６】
次に、以上のように構成された包装箱１の組み立て作業について説明する。包装箱１は、先ず、図２に示す展開状態から、折曲可能線ａ，ａ，ａに沿って第１側板５，５と第１側板５，５とを折り曲げ、接着片９をその反対側の第１側板５の内面に接着することにより両端部の第１側板５と第２側板６とを連結し、四角筒状の胴部２を形成する。このとき更に、接着片９により両端部の第１底フラップ部１０と第２底フラップ部１１とを連結する。こうして、胴部２の下端の第１底フラップ部１０，１０及び第２底フラップ部１１，１１も、胴部２に連続する四角筒状となる。
【００３７】
次いで、図３（ａ）に示すように、包装箱１の天地を反転し、図３（ｂ）に示すように、第２底フラップ部１１，１１を折曲可能線ｆ，ｆに沿って胴部２の外側方向に折り曲げる。この作業は、互いに対向する一対の掛止片１２を把持して、同時に胴部の外側方向に掛止片１２を引っ張ることにより行うことができる。このとき、掛止片１２を、包装箱１の組み立て作業者が把持する把持片として機能させることができ、第２底フラップ部１１，１１の折り曲げ作業が円滑に行える。
【００３８】
両第２底フラップ部１１，１１が折曲可能線ｆ，ｆに沿って折り曲げられると、これと同時に、夫々の第２底フラップ部１１，１１は、傾斜折曲可能線ｈ，ｈに沿って屈曲してその内面同士が互いに重合する。更にこれに追従して、両第１底フラップ部１０，１０が各第１側板５，５の下縁（図３では天地逆であるため一時的に上縁）の折曲可能線ｅ，ｅに沿って胴部２の内側方向に折り倒される。続いて、両第２底フラップ部１１，１１を第１側板５，５の外面に重合するまで折り返した後、掛止片１２を差込孔１４に差し込んで掛止する。掛止片１２が差込孔１４に差し込まれて強固に掛止されるので、封緘用の粘着テープや接着剤等を用いることなく胴部２の底面の閉塞状態を確実に維持することができる。
【００３９】
このときには、両第１底フラップ部１０，１０が水平に折り曲げられて胴部２の底面を閉塞するが、各第１底フラップ部１０，１０の先端部には大延出部１０ａと小延出部１０ｂとが形成されていることにより、一方の第１底フラップ部１０，１０の大延出部１０ａが他方の第１底フラップ部１０，１０の小延出部１０ｂの外面に重合し、他方の第１底フラップ部１０，１０の大延出部１０ａが一方の第１底フラップ部１０，１０の小延出部１０ｂの外面に重合する。
【００４０】
これにより、図１（ｂ）を参照して、両第１底フラップ部１０，１０の先端部同士が互い違いに重合し、胴部２の底面が閉塞された状態となる。
【００４１】
このように、両第２底フラップ部１１，１１を第１側板５，５の外面に重合するまで同時に折り返すだけで、胴部２の底面を閉塞することができる。また、両第２底フラップ部１１，１１を折り返す際には、第２底フラップ部１１，１１と第１側板５，５との境界の折曲可能線ｆ，ｆと第２底フラップ部１１，１１と第１底フラップ部１０，１０との境界の折曲可能線ｇ，ｇ，ｇとが重なって折り曲げられるが、第２底フラップ部１１，１１と第１側板５，５との境界の折曲可能線ｆ，ｆが切れ目であることにより、折り曲げ抵抗は比較的少ないだけでなく、折り曲げ部分に生じる膨らみや歪も極めて少ない。従って、比較的小さな力で底面の閉塞作業が行え、しかも、閉塞された底面の外観低下も殆ど生じない。
【００４２】
そして、包装箱１の天地方向を元に戻し、図４に示すように、胴部２の上面が開放された状態で、内部に物品を収容する。胴部２の底面は、両第１底フラップ部１０，１０のみにより閉塞されていので、段差が極めて少ない。更に、胴部２の底面は、両第１底フラップ部１０，１０の先端同士が互い違いに重合していることにより、胴部２の底面に段差として現れる各第１底フラップ部１０，１０の端縁が互いに逆方向を向き、段差の位置も直線上に並ぶことはない。よって、胴部２の底面に物品を載置したとき、物品に対する段差の影響を分散させて物品を安定させることができる。
【００４３】
その後、第２天フラップ８，８を折曲可能線ｃ，ｃに沿って胴部２の内側方向に水平に折り曲げ、次いで、第１天フラップ７，７を折曲可能線ｂ，ｂに沿って胴部２の内側方向に水平に折り曲げて第２天フラップ８，８の上面に重合させることにより、図１（ａ）に示すように、胴部２の上面が閉塞された状態となる。
【００４４】
このとき、掛止片１２が差込孔１４を介して胴部２の内側に突出した状態となるが、図５に示すように、胴部２の内部では掛止片１２が第２天フラップ８，８の内面に重合した状態となるので、物品の包装時に邪魔になることがない。
【符号の説明】
【００４５】
１…包装箱、２…胴部、５…第１側板、６…第２側板、８…第２天フラップ（天フラップ）、１０…第１底フラップ部、１１…第２底フラップ部、１２…掛止片、１４…差込孔、ｃ…折曲可能線（上部折曲可能線）、ｅ…折曲可能線（第１下部折曲可能線）、ｆ…折曲可能線（第２下部折曲可能線）、ｈ…傾斜折曲可能線。
【図１】
2016078880.tif 000003
【図２】
2016078880.tif 000004
【図３】
2016078880.tif 000005
【図４】
2016078880.tif 000006
【図５】
2016078880.tif 000007